(57)【要約】【課題】表示する文字数を変更したい時に、新規のケーシングを必要としない、風の力により転倒することがない表示装置を提供する。【解決手段】各々が直線上に離れて整列する複数の発光体１１を有し、該発光体１１を支持し、包むケーシングを有する表示体２と、前記直線に直角な方向に整列する複数の前記表示体２を支持する支持体１６，１７とを備え、複数の前記表示体２からなり、１文字を表示する表示ユニット３，２１，２２，２３が複数個、前記直線に直角な方向に整列する様に、前記支持体１６，１７は各表示体２を支持する。【選択図】図１
2005091824.tif 000002
【特許請求の範囲】
【請求項１】
各々が直線上に離れて整列する複数の発光体を有し、該発光体を支持し、包むケーシングを有する表示体と、前記直線に直角な方向に整列する複数の前記表示体を支持する支持体とを備え、複数の前記表示体からなり、１文字を表示する表示ユニットが複数個、前記直線に直角な方向に整列する様に、前記支持体は各表示体を支持する事を特徴とする表示装置。
【請求項２】
各表示体は透明板を有し、かつ、密閉状態に構成されている事を特徴とする請求項１の表示装置。
【請求項３】
前記支持体は、各表示体を構成する各ケーシングの後部を支持し、かつ、構造物に固定される様に構成されている事を特徴とする請求項１の表示装置。
【請求項４】
前記表示ユニットにおいて、各表示体は密着して配置され、又は、隣接する各表示体は所定の隙間をおいて配置されている事を特徴とする請求項１の表示装置。
【請求項５】
前記表示ユニットが複数個、前記直線に直角な方向に整列した表示ユニット群を設け、前記直線の方向に沿う様に、前記表示ユニット群を複数段、設けた事を特徴とする請求項１の表示装置。
【請求項６】
隣接する各表示ユニットが所定の隙間をおいて整列する様に、前記支持体は各表示体を支持する事を特徴とする請求項１の表示装置。
【請求項７】
各表示ユニットが円筒上に位置する様に、前記支持体は円筒状に形成され、前記支持体を回転させる駆動機構が設けられた事を特徴とする請求項１の表示装置。
【発明の詳細な説明】
【技術分野】
【０００１】
本発明は表示装置に関する。
【背景技術】
【０００２】
従来、この種の装置は例えば、特許文献１に示されている。この特許文献１の図４と図５によると、１９文字を表示する表示部２１と、その表示部２１を包むケーシングが設けられている。また、図２によると、この表示装置１の正面図が示されている。
【特許文献１】特開２０００−５６７１４号公報
【発明の開示】
【発明が解決しようとする課題】
【０００３】
この様に、この装置では、１９文字を表示する表示部２１を包む様に、ケーシングが設けられている。そこで、例えば、３８文字を表示するならば、別途、ケーシングを新規に製作する必要があり、新たに金型が必要となる、第１の欠点がある。
【０００４】
更に、図２に示されている様に、この装置では、例えば地面に対し、スタンド型の据え置き形態であるので、屋外に設置した時、風の力により、移動したり、転倒する恐れがある、第２の欠点がある。そこで、本発明はこの様な従来の欠点を考慮し、表示する文字数を変更した時に新規のケーシングを必要としない、風の力により転倒することが無い表示装置を提供する。
【課題を解決するための手段】
【０００５】
上記課題を解決するために、請求項１の本発明では、各々が直線上に離れて整列する複数の発光体を有し、発光体を支持し、包むケーシングを有する表示体と、前記直線に直角な方向に整列する複数の表示体を支持する支持体とを備え、複数の表示体からなり、１文字を表示する表示ユニットが複数個、前記直線に直角な方向に整列する様に、支持体は各表示体を支持する。
【０００６】
請求項２の本発明では、各表示体は透明板を有し、かつ、密閉状態に構成されているものである。
【０００７】
請求項３の本発明では、支持体は、各表示体を構成する各ケーシングの後部を支持し、かつ、構造物に固定される様に構成されている。
【０００８】
請求項４の本発明では、表示ユニットにおいて、各表示体は密着して配置され、又は、隣接する各表示体は所定の隙間をおいて配置されている。
【０００９】
請求項５の本発明では、表示ユニットが複数個、前記直線に直角な方向に整列した表示ユニット群を設け、前記直線の方向に沿う様に、表示ユニット群を複数段、設けた。
【００１０】
請求項６の本発明では、隣接する各表示ユニットが所定の隙間をおいて整列する様に、支持体は各表示体を支持する。
【００１１】
請求項７の本発明では、各表示ユニットが円筒上に位置する様に、支持体は円筒状に形成され、支持体を回転させる駆動機構が設けられた。
【発明の効果】
【００１２】
請求項１の本発明では、各々が直線上に離れて整列する複数の発光体を有し、発光体を支持し、包むケーシングを有する表示体と、前記直線に直角な方向に整列する複数の表示体を支持する支持体とを備え、複数の表示体からなり、１文字を表示する表示ユニットが複数個、前記直線に直角な方向に整列する様に、支持体は各表示体を支持する。上記構成の様に、支持体が各表示体を支持する事により、複数の表示ユニットを構成するので、複数の表示体は同一のものを使う事ができる。その結果、表示する文字数を変更したい時には、表示ユニットの数を変更するだけで良いので、同一の表示体を使う事ができる。その結果、文字数を変更しても、同一のケーシングを使う事ができ、新規のケーシングを必要としない。
【００１３】
請求項２の本発明では、各表示体は透明板を有し、かつ、密閉状態に構成されているものである。この様に、表示体は密閉状態に構成されているので、防水対策が施され、この表示装置は屋外に設置される事ができる。
【００１４】
請求項３の本発明では、支持体は、各表示体を構成する各ケーシングの後部を支持し、かつ、構造物に固定される様に構成されている。この様に、各表示体を支持する支持体は構造物に固定されるので、この表示装置の固定は強固となる。その結果、この表示装置が風の力により転倒する事を防止できる。
【００１５】
請求項４の本発明では、表示ユニットにおいて、各表示体は密着して配置され、又は、隣接する各表示体は所定の隙間をおいて配置されている。上記構成により、表示ユニットにおいて、表示の縦の長さと、表示の横の長さの比率を任意に設定できる。その結果、この表示装置の使用者は、上記比率を任意に設定することにより、自分の好きな文字の形態を得る事ができる。
【００１６】
請求項５の本発明では、表示ユニットが複数個、前記直線に直角な方向に整列した表示ユニット群を設け、前記直線の方向に沿う様に、表示ユニット群を複数段、設けた。上記構成により、直線の方向に沿う表示ユニット群を複数段に設ける事ができるので、使用者は、自分の好きな表示面（縦の長さと、横の長さによる）を得る事ができる。
【００１７】
請求項６の本発明では、隣接する各表示ユニットが所定の隙間をおいて整列する様に、支持体は各表示体を支持する。上記構成により、１文字を表示する表示ユニットの間隔を設定できるので、使用者は自分が好む表示形態を得る事ができる。
【００１８】
請求項７の本発明では、各表示ユニットが円筒上に位置する様に、支持体は円筒状に形成され、支持体を回転させる駆動機構が設けられた。上記構成により、使用者は、各表示ユニットを回転させて表示する事ができる。また、使用者は各表示ユニットの数を変更したい時は、支持体の大きさを変えれば良く、表示体は同一のものを使うことができる。その結果、新規の表示体（特に、新規のケーシング）を製作する必要がないので、コストが安くなる。
【発明を実施するための最良の形態】
【００１９】
以下に、図１ないし図４に従い、本発明を実施するための最良の形態１に係る表示装置１を説明する。図１は表示装置１の正面図、図２は表示装置１の裏面図である。図３は表示装置１に用いられる表示体２の部分断面図、図４は表示装置１に用いられる表示ユニット３の正面図である。
【００２０】
これらの図において、表示体２を構成するケーシング４は例えば金属板等からなり、箱状に形成されている。ケーシング４の前部５は開口６が形成されている。透明板７は例えばアクリル樹脂等からなり、開口６を覆う様に、シール体８を介して、前部５に固定されている。
【００２１】
回路基板９ａ，９ｂ，９ｃ，９ｄ（９ｃと９ｄは図示せず）は例えばガラス繊維入りエポキシ樹脂等から成り、裏面に導電パターンが形成されている。回路基板９ａの上端は、固定板１０ａを介してケーシング４に固定され、下端は固定板１０ｂを介してケーシング４に固定されている。
【００２２】
回路基板９ｂの上端は、固定板１０ｂを介してケーシング４に固定され、下端は固定板１０ｃ（図示せず）を介してケーシング４に固定されている。回路基板９ｃの上端は、固定板１０ｃを介してケーシング４に固定され、下端は固定板１０ｄ（図示せず）を介してケーシング４に固定されている。回路基板９ｄの上端は、固定板１０ｄを介してケーシング４に固定され、下端は固定板１０ｅ（図示せず）を介してケーシング４に固定されている。
【００２３】
発光体１１は例えば、発光ダイオード１２，１３，１４，１５からなる。発光ダイオード１２は赤色を発光するものである。発光ダイオード１３は緑色を発光するものである。
発光ダイオード１４は青色を発光するものである。発光ダイオード１５は橙色を発光するものである。
【００２４】
上記発光ダイオード１２，１３，１４，１５の各アノードおよび各カソードは、回路基板９ａ，９ｂ，９ｃ，９ｄに形成された孔を貫通し、裏面の導電パターンに、半田等により固着されている。
【００２５】
発光体１１は、ケーシング４の長尺方向に沿って、各々が直線Ｘ１−Ｘ２上に、１０ｃｍずつ離れて整列する様に、１６個が配置されている（図１参照）。ケーシング４は、これらの発光体１１を支持し、かつ包んでいる。これらのケーシング４と、透明板７と、シール体８と、回路基板９ａ〜９ｄと、固定板１０ａ〜１０ｅと、発光体１１等により、例えば１６０ｃｍという、長尺の表示体２は構成されている。
【００２６】
また、上述した様に、表示体２は透明板７を有し、かつ、シール体８等により、密閉状態に構成されている。
【００２７】
支持体１６，１７は例えば、金属板等等からなり、断面がＬ字状のものであり、長尺のものである。各ケーシング４の後部１８の上部において、孔が形成され、ネジ切り加工されている。
【００２８】
支持体１６の側部において、所定のピッチにて、複数の孔が形成されている。６４個のボルト１９は、支持体１６の上記孔を貫通し、ケーシング４の後部１８に形成された孔にネジ止めされている（図２と図３を参照）。
【００２９】
同様に、各ケーシング４の後部１８の下部において、孔が形成され、ネジ切り加工されている。支持体１７の側部において、所定のピッチにて、複数の孔が形成されている。６４個のボルト２０は、支持体１７の上記孔を貫通し、ケーシング４の後部１８に形成された孔にネジ止めされている（図２を参照）。
【００３０】
この様に、発光体１１が整列する直線Ｘ１−Ｘ２に直角な方向Ｙ１−Ｙ２に整列する様に、複数の表示体２を支持する支持体１６，１７が設けられている。
【００３１】
表示ユニット３，２１，２２，２３は各々、複数（例えば１６個）の表示体２からなり、各々、１文字を表示するものである。複数個の表示ユニット３，２１，２２，２３が直線Ｘ１−Ｘ２に直角な方向Ｙ１−Ｙ２に整列する様に、支持体１６，１７は各表示体２を支持している。また、各表示ユニット３，２１，２２，２３において、各表示体２は密着して配置されている。
【００３２】
支持板２４ａ，２４ｂ（２４ｂは図示せず）は例えば金属板等からなり、断面がＬ字状のものであり、長尺のものである。支持板２４ａにおいて、垂直部は水平部より下方に位置する様に配置されている。
【００３３】
アンカーボルト２５は、支持板２４ａの垂直部に形成された孔を貫通し、垂直体（例えば壁）２６に設けられた孔にネジ止めされている。ボルト２７は、支持体１６の上部に形成された孔を貫通し、支持板２４ａの水平部に形成された孔にネジ止めされている。
【００３４】
アンカーボルト（図示せず）は、支持板２４ｂの垂直部に形成された孔を貫通し、垂直体（例えば壁）２６に設けられた孔にネジ止めされている。ボルト（図示せず）は、支持体１７の上部に形成された孔を貫通し、支持板２４ｂの水平部に形成された孔にネジ止めされている。
【００３５】
上記垂直体２６と、支持板２４ａ，２４ｂ等により、構造物２８は構成されている。上述した様に、支持体１６，１７は各表示体２を構成する各ケーシング４の後部１８を支持し、かつ、構造物２８に固定される様に、構成されている。なお、垂直体２６は壁に限らず、例えば、片側が地面に固定された各パイプやアングル等でも良い。
【００３６】
次に、主に図２に従い、表示装置１の電気的構成を説明する。図２において、ケーブル２９には、８個の被覆されたリード線が挿入されている。各リード線の上端は、各表示体２に設けられた各回路基板９ｄの各導電パターンに、電気的接続されている。各リード線の下端は、ドライバ３０に設けられた各端子に電気的接続されている。
【００３７】
この様に、表示ユニット３において、各発光体１１は縦に１６個、横に１６個、合計２５６個がマトリクス状に並んでいる。左側の表示体２（８個）は、ケーブル２９を介してドライバ３０に接続されている。右側の表示体２（８個）は、ケーブル３１を介してドライバ３２に接続されている。
【００３８】
同様に、表示ユニット２１において、各発光体１１は縦に１６個、横に１６個、合計２５６個がマトリクス状に並んでいる。左側の表示体２（８個）はケーブル３３を介してドライバ３４に接続され、右側の表示体２（８個）は、ケーブル３５を介してドライバ３６に接続されている。
【００３９】
同様に、表示ユニット２２において、各発光体１１は縦に１６個、横に１６個、合計２５６個がマトリクス状に並んでいる。左側の表示体２（８個）はケーブル３７を介してドライバ３８に接続され、右側の表示体２（８個）は、ケーブル３９を介してドライバ４０に接続されている。
【００４０】
同様に、表示ユニット２３において、各発光体１１は縦に１６個、横に１６個、合計２５６個がマトリクス状に並んでいる。左側の表示体２（８個）はケーブル４１を介してドライバ４２に接続され、右側の表示体２（８個）は、ケーブル４３を介してドライバ４４に接続されている。
【００４１】
ドライバ３０，３２，３４，３６，３８，４０，４２，４４は互いに接続されている。制御回路４５の出力側はドライバ３０に接続され、入力側は制御部４６の端子に接続されている。制御部４６は例えば、ＣＰＵ等からなる。
【００４２】
記憶部４７は例えば、ロムと、ラムと、フォントロム等からなり、各々が制御部４６の端子に接続されている。ロムは制御部４６の制御プログラムを記憶しており、フォントロムは表示ユニット３，２１，２２，２３に表示される各種フォントを記憶している。
【００４３】
入力部４８は、使用者が入力するための各種キーと、カード制御回路等からなる。カード制御回路は、各種データが書き込まれたＩＣカード（図示せず）が挿入され、上記データを読み取るものである。上記部品により、この表示装置１は構成されている。
【００４４】
次に、図１ないし図４に従い、表示装置１の動作を説明する。使用者はＩＣカードを入力部４８に挿入したとする。ＩＣカードは、パーソナルコンピュータ（図示せず）等により、コードデータの組み合わせが書き込まれている。このコードデータの組み合わせとは例えば、表示する文章「赤い花」に対応するものとする。
【００４５】
入力部４８は制御部４６に対し、入力信号ａを出力する。制御部４６は入力信号ａに従って、記憶部４７を構成するフォントロムから、所定のフォントデータの組み合わせを取り込む。
【００４６】
制御部４６は、上記フォントデータの組み合わせに従って、記憶部４７のワークエリアにおいて、データ信号ｄを作成する。そして制御部４６は、制御回路４５に対し、データ信号ｄと、クロック信号ＣＫと、ラッチ信号ＬＴと、走査信号Ｓ等を出力する。
【００４７】
制御回路４５はドライバ３０，３２，３４，３６，３８，４０，４２，４４に対し、上記信号ｄ，ＣＫ，ＬＴ，Ｓを出力する。その結果、表示ユニット３は「赤」を表示し、表示ユニット２１は「い」を表示し、表示ユニット２２は「花」を表示し、表示ユニット２３は「は」を表示する。そして、表示装置１は全体として、「赤い花は」を表示する。
【００４８】
この様に、表示ユニット３，２１，２２，２３は例えば各々、縦が１６０ｃｍ，横が１６０ｃｍのものである。そして、表示ユニット３，２１，２２，２３は各々、１文字を表示する様に、構成されている。図４において、表示ユニット３は、表示の縦の長さと、表示の横の長さとの比率が１：１の例を示している。
【００４９】
次に、図５の正面図に従い、本発明を実施するための最良の形態２に係る表示装置４９を説明する。表示装置４９を構成する表示ユニット５０を示す図５において、隣接する各表示体２，２は、所定の隙間５１をおいて配置されている。
【００５０】
この隙間５１は例えば、表示体２の横幅の半分に設けられている。その結果、表示ユニット５０において、縦表示の長さと、横表示の長さとの比率が１：１．５になる様に、設けられている。
【００５１】
表示ユニット５０の上記構成のために、支持体１６ａ，１７ａは図４に示した支持体１６，１７よりも長くなる様に、設けられている。また、支持体２を支持するために、支持体１６ａ，１７ａに形成された孔のピッチは、図４のものに比べ、１．５倍に設けられている。
【００５２】
次に、図６の正面図に従い、本発明を実施するための最良の形態３に係る表示装置５２を説明する。図６において、複数個の表示ユニット３，２１，２２が、発光体１１が整列する直線Ｘ１−Ｘ２に直角な方向Ｙ１−Ｙ２に整列した表示ユニット群５３が設けられている。上記表示ユニット３，２１，２２は図１に示したものと同じである。
【００５３】
支持体１６ｂ，１７ｂは、図１に示した支持体１６，１７よりも短くなる様に、形成されている。支持体１６ｂ，１７ｂは、各表示体２を支持している。
【００５４】
複数個の表示ユニット３ａ，２１ａ，２２ａがＹ１−Ｙ２方向に整列し、かつ発光体１１が整列する直線Ｘ１−Ｘ２に沿う様に、表示ユニット群５４が設けられている。表示ユニット３ａ，２１ａ，２２ａは各々、表示ユニット３，２１，２２と同一のものである。
【００５５】
この様に、発光体１１が整列する直線Ｘ１−Ｘ２に沿う様に、表示ユニット群５３，５４が複数段、設けられている。以上の部品により、この表示装置５２は構成されている。
【００５６】
次に、図７の正面図に従い、本発明を実施するための最良の形態４に係る表示装置５５を説明する。図７において、隣接する各表示ユニット３，２１，２２が所定の隙間５６，５７をおいて整列する様に、支持体１６ｃ，１７ｃは表示体２を支持している。これらの部品により、表示装置５５は構成されている。
【００５７】
次に、図８（ａ）の平面図および図８（ｂ）の正面図に従い、本発明を実施するための最良の形態５に係る表示装置５８を説明する。これらの図において、表示体２ａは、内面が円弧状になる様に、形成されている。
【００５８】
表示ユニット５９は１３個の表示体２ａからなり、各表示体２ａはボルト（図示せず）等により、円筒状の支持体６２の上に固定されている。表示ユニット６０は１３個の表示体２ａからなり、各表示体２ａはボルト（図示せず）等により、円筒状の支持体６２の上に固定されている。表示ユニット６１は１４個の表示体２ａからなり、各表示体２ａはボルト（図示せず）等により、円筒状の支持体６２の上に固定されている。
【００５９】
この様に、各表示ユニット５９，６０，６１が円筒上に位置する様に、支持体６２は円筒状に形成されている。
【００６０】
腕６３，６４，６５の各一端は、支持体６２の内面に固定され、腕６３，６４，６５の各他端は、軸６６に固定されている。
【００６１】
軸６６の一端には、第１歯車（図示せず）が固定されている。モータの軸には、第２歯車（共に図示せず）が固定されている。第１歯車と第２歯車は噛み合う様に設けられている。上記腕６３，６４，６５と、軸６６と、第１歯車と、第２歯車と、モータ等により、駆動機構６７が構成されている。
【００６２】
この様に、駆動機構６７は、支持体６２を回転させるものである。上記部品により、表示装置５８は構成されている。
【００６３】
モータが通電されると、第１歯車は回転し、第１歯車と噛み合う第２歯車は回転する。第２歯車に固定された支持体６２は回転する。その結果、支持体６２に固定された各表示ユニット５９，６０，６１に表示された「赤い花」は回転し、観察者は、回転された上記表示を見ることができる。
【図面の簡単な説明】
【００６４】
【図１】本発明を実施するための最良の形態１に係る表示装置１の正面図である。
【図２】上記表示装置１の裏面図である。
【図３】上記表示装置１に用いられる表示体２の部分断面図である。
【図４】上記表示装置１に用いられる表示ユニット３の正面図である。
【図５】本発明を実施するための最良の形態２に係る表示装置４９に用いられる表示ユニット５０の正面図である。
【図６】本発明を実施するための最良の形態３に係る表示装置５２の正面図である。
【図７】本発明を実施するための最良の形態４に係る表示装置５５の正面図である。
【図８】図８（ａ）は、本発明を実施するための最良の形態５に係る表示装置５８の平面図であり、図８（ｂ）は上記表示装置５８の正面図である。
【符号の説明】
【００６５】
２  表示体
４  ケーシング
１１  発光体
１６，１７  支持体
【図１】
2005091824.tif 000003
【図２】
2005091824.tif 000004
【図３】
2005091824.tif 000005
【図４】
2005091824.tif 000006
【図５】
2005091824.tif 000007
【図６】
2005091824.tif 000008
【図７】
2005091824.tif 000009
【図８】
2005091824.tif 000010